【手続補正書】
【提出日】平成30年11月20日(2018.11.20)
【手続補正１】
【補正対象書類名】特許請求の範囲
【補正対象項目名】全文
【補正方法】変更
【補正の内容】
【特許請求の範囲】
【請求項１】
ワイヤレス通信システムにおけるユーザ機器（ＵＥ）通信を管理するための装置であって、
ユーザ機器（ＵＥ）において、ダウンリンクチャネル上でネットワークエンティティによって送信されたデータ構造を受信するための手段、前記データ構造は、
シンボル内で、ダウンリンクチャネルの周波数帯域幅がそれに分割される１つまたは複数のリソース要素ブロック、ここにおいて、前記シンボルは、ダウンリンクサブフレーム中の複数のシンボルのうちの１つであり、送信時間間隔を定義し、前記１つまたは複数のリソース要素ブロックのうちの少なくとも１つのリソース要素ブロックは、前記シンボル内で、前記ネットワークエンティティから制御通信を受信するための制御領域と、前記ネットワークエンティティからデータ通信を受信するためのデータ領域との両方を定義する、と、
前記制御領域内にあるダウンリンクリソース許可と
を備える、と、
前記制御情報が前記ＵＥのためのものであるかどうかを決定するために、前記制御領域に対して検査を実行するための手段と、
前記ダウンリンクリソース許可に基づいてデータ領域の位置を、前記検査を前記実行するための手段に少なくとも部分的に基づいて、決定するための手段と、
前記決定された位置において、前記データ領域中の前記ＵＥのためのデータを受信するための手段と
を備える、装置。
【請求項２】
前記ダウンリンクリソース許可は、前記ＵＥに割り振られたダウンリンクリソースの前記データ領域内の前記位置のインジケーションを備える、
請求項１に記載の装置。
【請求項３】
前記ダウンリンクリソース許可は、前記少なくとも１つのリソース要素ブロックの前記制御領域外のリソース要素を前記ＵＥに割り振る、
請求項１に記載の装置。
【請求項４】
前記ダウンリンクリソース許可は、少なくとも１つのさらなるリソース要素ブロックのリソース要素を前記ＵＥに割り振る、
請求項１に記載の装置。
【請求項５】
前記データ構造は、前記ＵＥのための、または異なるＵＥのための、前記制御領域中にあるアップリンクリソース許可をさらに備える、
請求項１に記載の装置。
【請求項６】
前記制御領域は、前記少なくとも１つのリソース要素ブロック内のリソース要素の固定サブセット内に位置する、
請求項１に記載の装置。
【請求項７】
前記制御領域は、前記少なくとも１つのリソース要素ブロックのリソース要素の数を備え、リソース要素の前記数は、前記ＵＥに関連するアグリゲーションレベルに基づく、
請求項１に記載の装置。
【請求項８】
前記データ構造は、前記ダウンリンクサブフレーム中の前記複数のシンボルのうちの少なくとも１つのさらなるシンボル内にレガシー制御領域をさらに備え、前記レガシー制御領域は、レガシーＬＴＥ制御およびデータチャネルによる少なくとも１つのリソース要素割振りを含む、
請求項１に記載の装置。
【請求項９】
ユーザ機器（ＵＥ）において、ダウンリンクチャネル上でネットワークエンティティによって送信されたデータ構造を受信すること、前記データ構造は、
シンボル内で、周波数帯域幅がそれに分割される１つまたは複数のリソース要素ブロック、ここにおいて、前記シンボルは、ダウンリンクサブフレーム中の複数のシンボルのうちの１つであり、送信時間間隔（ＴＴＩ）を定義し、前記１つまたは複数のリソース要素ブロックのうちの少なくとも１つのリソース要素ブロックは、前記シンボル内で、前記ネットワークエンティティから制御通信を受信するための制御領域と、前記ネットワークエンティティからデータ通信を受信するためのデータ領域との両方を定義する、と、
前記制御領域内にある、ダウンリンクリソース許可を含む制御情報と
を備える、と、
前記制御情報が前記ＵＥのためのものであるかどうかを決定するために、前記制御領域に対して検査を実行することと、
前記ダウンリンクリソース許可に基づいて前記データ領域の位置を、前記検査を前記実行することに少なくとも部分的に基づいて、決定することと、
前記決定された位置において、前記データ領域中の前記ＵＥのためのユーザデータを受信することと
を備える、ワイヤレス通信の方法。
【請求項１０】
前記データを復号することを試みることと、
迅速化されたＨＡＲＱ応答時間内に前記データを復号することを試みることに基づいて、ＨＡＲＱ応答を送信すること、ここにおいて、前記迅速化されたＨＡＲＱ応答時間は、４つのシンボルである、と
をさらに備える、請求項９に記載の方法。
【請求項１１】
前記ダウンリンクリソース許可は、前記ＵＥに割り振られたダウンリンクリソースの前記データ領域内の前記位置のインジケーションを備える、
請求項９に記載の方法。
【請求項１２】
前記ダウンリンクリソース許可は、前記少なくとも１つのリソース要素ブロックの前記制御領域外のリソース要素を前記ＵＥに割り振る、
請求項９に記載の方法。
【請求項１３】
前記ダウンリンクリソース許可は、少なくとも１つのさらなるリソース要素ブロックのリソース要素を前記ＵＥに割り振る、
請求項９に記載の方法。
【請求項１４】
前記データ構造は、前記ＵＥのための、または異なるＵＥのための、前記制御領域中にあるアップリンクリソース許可をさらに備える、
請求項９に記載の方法。
【請求項１５】
前記制御領域は、前記少なくとも１つのリソース要素ブロック内のリソース要素の固定サブセット内に位置する、
請求項９に記載の方法。
【請求項１６】
前記制御領域は、前記少なくとも１つのリソース要素ブロックのリソース要素の数を備え、リソース要素の前記数は、前記ＵＥに関連するアグリゲーションレベルに基づく、
請求項９に記載の方法。
【請求項１７】
前記データ構造は、前記ダウンリンクサブフレームの少なくとも１つのさらなるシンボル内にレガシー制御領域をさらに備え、前記レガシー制御領域は、レガシーＬＴＥ制御およびデータチャネルによる少なくとも１つのリソース要素割振りを含む、
請求項９に記載の方法。
【請求項１８】
ワイヤレス通信のために構成された装置であって、
メモリと、
前記メモリに結合された少なくとも１つのプロセッサと
を備え、前記少なくとも１つのプロセッサは、
ユーザ機器（ＵＥ）において、ダウンリンクチャネル上でネットワークエンティティによって送信されたデータ構造を受信すること、前記データ構造は、
シンボル内で、周波数帯域幅がそれに分割される１つまたは複数のリソース要素ブロック、ここにおいて、前記シンボルは、ダウンリンクサブフレーム中の複数のシンボルのうちの１つであり、送信時間間隔（ＴＴＩ）を定義し、前記１つまたは複数のリソース要素ブロックのうちの少なくとも１つのリソース要素ブロックは、前記シンボル内で、前記ネットワークエンティティから制御通信を受信するための制御領域と、前記ネットワークエンティティからデータ通信を受信するためのデータ領域との両方を定義する、と、
前記制御領域内にある、ダウンリンクリソース許可を含む制御情報と
を備える、と、
前記制御情報が前記ＵＥのためのものであるかどうかを決定するために、前記制御領域に対して検査を実行することと、
前記ダウンリンクリソース許可に基づいて前記データ領域の位置を、前記検査を前記実行することに少なくとも部分的に基づいて、決定することと
前記決定された位置において、前記データ領域中の前記ＵＥのためのユーザデータを受信することと
を行うように構成された、装置。
【請求項１９】
前記少なくとも1つのプロセッサは、前記ユーザデータを復号することを試みることと、迅速化されたＨＡＲＱ応答時間内に前記ユーザデータを復号することを試みることに基づいて、ＨＡＲＱ応答を送信すること、ここにおいて、前記迅速化されたＨＡＲＱ応答時間は、４つのシンボルである、と
を行うようにさらに構成された、請求項１８に記載の装置。
【請求項２０】
前記ダウンリンクリソース許可は、前記ＵＥに割り振られたダウンリンクリソースの前記データ領域内の前記位置のインジケーションを備える、
請求項１８に記載の装置。
【請求項２１】
前記ダウンリンクリソース許可は、前記少なくとも１つのリソース要素ブロックの前記制御領域外のリソース要素を前記ＵＥに割り振る、
請求項１８に記載の装置。
【請求項２２】
前記ダウンリンクリソース許可は、少なくとも１つのさらなるリソース要素ブロックのリソース要素を前記ＵＥに割り振る、
請求項１８に記載の装置。
【請求項２３】
前記データ構造は、前記ＵＥのための、または異なるＵＥのための、前記制御領域中にあるアップリンクリソース許可をさらに備える、
請求項１８に記載の装置。
【請求項２４】
前記制御領域は、前記少なくとも１つのリソース要素ブロック内のリソース要素の固定サブセット内に位置する、
請求項１８に記載の装置。
【請求項２５】
前記制御領域は、前記少なくとも１つのリソース要素ブロックのリソース要素の数を備え、リソース要素の前記数は、前記ＵＥに関連するアグリゲーションレベルに基づく、
請求項１８に記載の装置。
【請求項２６】
前記データ構造は、前記ダウンリンクサブフレームの少なくとも１つのさらなるシンボル内にレガシー制御領域をさらに備え、前記レガシー制御領域は、レガシーＬＴＥ制御およびデータチャネルによる少なくとも１つのリソース要素割振りを含む、
請求項１８に記載の装置。
【請求項２７】
ワイヤレス通信のための、プロセッサによって実行可能なコードを記憶する非一時的コンピュータ可読媒体であって、前記コンピュータ実行可能コードは、
ユーザ機器（ＵＥ）において、ダウンリンクチャネル上でネットワークエンティティによって送信されたデータ構造を受信するためのコード、前記データ構造は、
シンボル内で、周波数帯域幅がそれに分割される１つまたは複数のリソース要素ブロック、ここにおいて、前記シンボルは、ダウンリンクサブフレーム中の複数のシンボルのうちの１つであり、送信時間間隔（ＴＴＩ）を定義し、前記１つまたは複数のリソース要素ブロックのうちの少なくとも１つのリソース要素ブロックは、前記シンボル内で、前記ネットワークエンティティから制御通信を受信するための制御領域と、前記ネットワークエンティティからデータ通信を受信するためのデータ領域との両方を定義する、と、
前記制御領域内にある、ダウンリンクリソース許可を含む制御情報と
を備える、と、
前記制御情報が前記ＵＥのためのものであるかどうかを決定するために、前記制御領域に対して検査を実行するためのコードと、
前記ダウンリンクリソース許可に基づいて前記データ領域の位置を、前記検査を前記実行することに少なくとも部分的に基づいて、決定するためのコードと、
前記決定された位置において、前記データ領域中の前記ＵＥのためのユーザデータを受信するためのコードと
を備える、非一時的コンピュータ可読媒体。
【請求項２８】
前記ダウンリンクリソース許可は、前記ＵＥに割り振られたダウンリンクリソースの前記データ領域内の前記位置のインジケーションを備える、
請求項２７に記載の非一時的コンピュータ可読媒体。
【請求項２９】
前記ダウンリンクリソース許可は、前記少なくとも１つのリソース要素ブロックの前記制御領域外のリソース要素を前記ＵＥに割り振る、
請求項２７に記載の非一時的コンピュータ可読媒体。
【請求項３０】
前記データ構造は、前記ＵＥのための、または異なるＵＥのための、前記制御領域中にあるアップリンクリソース許可をさらに備える、
請求項２７に記載の非一時的コンピュータ可読媒体。